(57)【要約】【課題】光源モジュールを用いて、光源を投射する方法で時刻の表示を行い、さらに従来の蛍光塗料を指針に加える時刻表示装置及び一般的な指針を具有する時計から出る騒音を抑える時刻表示装置を提供する。【解決手段】時刻パネル、該時刻パネルの中心エリアに設けられた光源モジュール、該光源モジュールを駆動するカウントユニット、該カウントユニットを実際の時刻を計算して制御するコントロールユニットからなり、前記光源モジュールの光源を時刻パネルに投射することにより明るいイメージ・エリアによって時刻を表示する時刻表示装置。【選択図】図５
0003123608.tif 000002
【実用新案登録請求の範囲】
【請求項１】
時刻パネル、該時刻パネルの中心エリアに設けられた光源モジュール、該光源モジュールを駆動するカウントユニット、該カウントユニットを実際の時刻を計算して制御するコントロールユニットからなり、前記光源モジュールの光源を時刻パネルに投射したイメージによって時刻を表示することを特徴とする時刻表示装置。
【請求項２】
前記時刻パネルの上には数字が配置されてなることを特徴とする請求項１記載の時刻表示装置。
【請求項３】
前記時刻パネルはパネル中心に向かって凹面のプレートであることを特徴とする請求項１記載の時刻表示装置。
【請求項４】
前記時刻パネルの形は円形であることを特徴とする請求項１記載の時刻表示装置。
【請求項５】
前記時刻パネルの形は多角形であることを特徴とする請求項１記載の時刻表示装置。
【請求項６】
前記光源モジュールは発光ダイオードモジュールであることを特徴とする請求項１記載の時刻表示装置。
【請求項７】
前記発光ダイオードモジュールは異なる光ビーム間の妨害の回避のために、さらに保護する構造を含むことを特徴とする請求項６記載の時刻表示装置。
【請求項８】
前記発光ダイオードモジュールは色がつけられた発光ダイオードモジュールであることを特徴とする請求項６記載の時刻表示装置。
【請求項９】
前記イメージは色がつけられたイメージであることを特徴とする請求項１記載の時刻表示装置。
【請求項１０】
前記中心エリアは凹底形状を呈すことを特徴とする請求項１記載の時刻表示装置。
【請求項１１】
前記カウントユニットは、実際の時刻に従って光源モジュールを駆動するタイムカウントユニットであることを特徴とする請求項１記載の時刻表示装置。
【請求項１２】
前記コントロールユニットは集積回路であることを特徴とする請求項１記載の時刻表示装置。
【請求項１３】
前記集積回路はプリント回路板に配置されていることを特徴とする請求項１２記載の時刻表示装置。
【請求項１４】
前記カウントユニットおよびコントロールユニットは時刻パネルの下に置くことを特徴とする請求項１記載の時刻表示装置。
【考案の詳細な説明】
【技術分野】
【０００１】
本考案は、光源モジュールの光源を時刻パネルに投射し、その投射したイメージによって、時刻を表示する時刻表示装置に関する。
【背景技術】
【０００２】
現在、時刻や時間を表示する方法がますます多様になってきており、人々は様々な方法により正確な時刻や時間を知ることができる。最初に、原始的な日時計で時刻が分かり、その後、順次発展して砂時計から機械的な時計、そして現在の様々な時計に至る。
【０００３】
図１は、公知の時計の主体部分の立体構造図である。図１に示すように、時計の主体部分は時刻表示主体１１、パネル１２及び指針１３から構成され、且つ、該パネル１２は時刻表示主体１１の中に設けられ、さらに、該指針１３はパネル１２の上に設けられている。指針１３は少なくとも時針１４、分針１５及び秒針１６を含み、且つ時刻表示主体１１の中に時針１４は分針１５及び秒針１６より短く、秒針１６は時針１４及び分針１５より細く、指針１３の組み合わせによって、時間を表示することができるものである。
【０００４】
従来の、指針は暗闇の中で見ることができなかったが、改善され蛍光を発光する時計ができ、暗闇の中でも、針の組み合わせが見ることができ、時刻を知ることができた。
図２は、公知の蛍光時計の主体部分の立体構造図及び分解図であるが、図２に示すように、図１のように時計の主体部分は時刻表示主体１１、パネル１２及び指針１３から構成され、図１の構造おいて、蛍光塗料２１を指針１３に塗布することにより、蛍光塗料２１が塗られた蛍光を発光する指針２２となり、蛍光塗料２１が塗られた該蛍光を発光する指針２２は少なくとも時針２３、分針２４及び秒針２５から構成され、且つ、時針２３は分針２４及び秒針２５よりも短く、秒針２５は時針２３及び分針２４よりも細い。
そして、蛍光塗料２１が塗られた蛍光の指針２２によって、暗闇の中でも時刻が見えるようになったが、蛍光塗料の発光時間が短く、直ぐに光らなくなってしまうため、蛍光塗料の効果を減少してしまい、さらに、長い秒針２５を駆動するために時計から出る騒音も人々を常に悩ませてきた。
【特許文献１】特開２００３−０９８９８８号公報
【考案の開示】
【考案が解決しようとする課題】
【０００５】
本考案は、上述した問題点に鑑みてなされたもので、少なくとも一つの光源モジュールを用いて、光源を投射する方法で時刻の表示を行うことができ、さらに、従来の蛍光塗料を塗布する方式の時計の発光時間が短いことや、長い秒針２５を駆動するために出る騒音を少なくする時刻表示装置を提供することにある。
【課題を解決するための手段】
【０００６】
本考案は、時刻を示す表示装置を提供するものであり、時刻パネル、光源モジュール、カウントユニットおよびコントロールユニットを含み、時刻パネルの中心エリアに置く該光源モジュールは該コントロールユニットに制御され、該光源モジュールの光源を時刻パネルに投射したイメージによって、実際の時刻を表示する。
【０００７】
すなわち、前記課題を解決するために、請求項１の考案は、時刻パネル、該時刻パネルの中心エリアに設けられた光源モジュール、該光源モジュールを駆動するカウントユニット、該カウントユニットを実際の時刻を計算して制御するコントロールユニットからなり、前記光源モジュールの光源を時刻パネルに投射したイメージによって時刻を表示することを特徴とする時刻表示装置である。
請求項２の考案は、前記時刻パネルの上には数字が配置されてなることを特徴とする請求項１記載の時刻表示装置である。
請求項３の考案は、前記時刻パネルはパネル中心に向かって凹面のプレートであることを特徴とする請求項１記載の時刻表示装置である。
請求項４の考案は、前記時刻パネルの形は円形であることを特徴とする請求項１記載の時刻表示装置である。
請求項５の考案は、前記時刻パネルの形は多角形であることを特徴とする請求項１記載の時刻表示装置である。
【０００８】
請求項６の考案は、前記光源モジュールは発光ダイオードモジュールであることを特徴とする請求項１記載の時刻表示装置である。
請求項７の考案は、前記発光ダイオードモジュールは異なる光ビーム間の妨害の回避のために、さらに保護する構造を含むことを特徴とする請求項６記載の時刻表示装置である。
請求項８の考案は、前記発光ダイオードモジュールは色がつけられた発光ダイオードモジュールであることを特徴とする請求項６記載の時刻表示装置である。
請求項９の考案は、前記イメージは色がつけられたイメージであることを特徴とする請求項１記載の時刻表示装置である。
請求項１０の考案は、前記中心エリアは凹底形状を呈すことを特徴とする請求項１記載の時刻表示装置である。
請求項１１の考案は、前記カウントユニットは、実際の時刻に従って光源モジュールを駆動するタイムカウントユニットであることを特徴とする請求項１記載の時刻表示装置である。
請求項１２の考案は、前記コントロールユニットは集積回路であることを特徴とする請求項１記載の時刻表示装置である。
請求項１３の考案は、前記集積回路はプリント回路板に配置されていることを特徴とする請求項１２記載の時刻表示装置である。
請求項１４の考案は、前記カウントユニットおよびコントロールユニットは時刻パネルの下に置くことを特徴とする請求項１記載の時刻表示装置である。
【考案の効果】
【０００９】
本考案による時刻表示装置によれば、光源モジュールの光源を時刻パネルに投射して、時刻パネル上の投射した明るいイメージエリアを表示するようにしたので、通常及び暗闇でも常に時刻を時刻パネルに表示することができ、長い秒針２５を駆動する必要がなく、小さな光源モジュールを回転させるだけなので駆動騒音を小さくすることができる。さらには、腕時計及び置時計、掛け時計などへの適用が可能である。
【考案を実施するための最良の形態】
【００１０】
本考案の好適な時刻表示装置の実施例を図面に沿って説明する。
図３は、本実施例の時刻表示装置の側断面図であるが、図示するように、少なくとも１つの時刻パネル３１、１つの光源モジュール３２、カウントユニット３３およびコントロールユニット３４から構成されている。
前記時刻パネル３１は、中心部に向かって凹型状のプレート及び円型あるいは多角形であり、該時刻パネル３１の周辺へアラビア数字を配列して時刻を表示し、及び、該時刻パネル３１は中心エリア３１１を具有し、該中心エリア３１１は凹底である。
前記光源モジュール３２は、本実施例では一つの発光ダイオードモジュールで、少なくとも一つの光源が発光でき、この光源は一つの色がつけられた光源であり、該光源モジュール３２は、さらに、三つの色の光源を用いて、時分秒を区別する。
その光源の色は、例えば、三原色の赤、青、緑、或いは、減法混色の黄色、紫、青緑及びマゼンダなどの四つの色である。発光ダイオードモジュールは異なる光ビーム間の妨害の回避のために、さらに保護する構造を有しており、例えば、図３に示すように、三つの発光ダイオードモジュール３２の回転位置は、その時刻パネル３１の中心エリア３１１にあり、上下位置が異なっており、図５を参照すれば、最下位置が赤色発光ダイオード３２１の「時」、中間位置が青色発光ダイオード３２２の「分」、最上位が緑色発光ダイオード３２３の「秒」等であり、三つの発光ダイオードモジュール３２の周りは透明の樹脂で覆われて保護されている。なお、光源モジュールは、発光ダイオードモジュールとしたが、発光するものであれば電灯等でもよい。
【００１１】
前記カウントユニット３３は実際の時刻に従って光源モジュールを駆動するタイムカウントユニットであり、位置はコントロールユニット３４の上にあり、コントロールユニット３４の指示によりステップモータ等により発光ダイオードモジュール３２を回転駆動させる。
前記コントロールユニット３４はカウントユニット３３を実際の時刻を計算して制御するもので、集積回路からなりプリント回路板に設置され、その位置は時刻パネル３１の下にある。
このように、コントロールユニット３４を用いて、光源モジュール３２の回転を制御して、少なくとも三つの光源を時刻パネルに投射して、少なくとも、三つの明るい光点、即ち、光が投射された明るいイメージ・エリアが生成されて実際の時刻を表示するが、その時刻表示装置は、図４の正面下からの斜視図のようになる。
【００１２】
図５は、図３に記述されたコントロールユニット３４の使用により、光源モジュール３２の回転をコントロールする1つの実施例による時刻表示装置のオペレーションの例である。
本実施例では、光源モジュール３２は少なくとも三色の発光ダイオードモジュールであり、その三色の発光ダイオードモジュールは赤い光を発する赤い発光ダイオード３２１、青い光を発する青い発光ダイオード３２２及び緑の発光ダイオード３２３から構成されている。
その三色の発光ダイオードモジュールは、上述したように回転位置の高低をつけて、中心エリア３１１に配列され、例えば、赤い光を発する赤い発光ダイオード３２１を一番高い所に配置し、青い光を発する青い発光ダイオード３２２を二番目高い所に配置し、緑の発光ダイオード３２３を一番低いところに配置している。図３に示したカウントユニット３３は、カウントした結果が５時５０分１０秒であるとすると、このとき、カウントユニット３３がこの結果をコントロールユニット３４に反映するが、コントロールユニット３４は光源モジュール３２の一番高い所に置く赤い光を発する赤い発光ダイオード３２１を制御し、凹型面の時刻パネル３１に向かって、光源を発射する。
そのとき、図５に示すように、破線の矢印に表示した長い射出光ビーム５１１を時刻パネル３１にある数字「１２」と「３」の間に投射し、赤いイメージ・エリア５１を生成するが、その赤いイメージ・エリア５１は「秒」に定義して、５時５０分１０秒の１０秒の部分を取得する。
次に、二番目高い所に置く青い光を発する青い発光ダイオード３２２を制御し、凹型面の時刻パネル３１に向かって、光源を発射するが、そのとき、図５に示すように、破線の矢印に表示した短い射出光ビーム５２１は時刻パネル３１にある数字「９」と「１２」の間に投射され、青いイメージ・エリア５２を生成し、その青いイメージ・エリア５２は「分」に定義して、５時５０分１０秒の５０分の部分を取得する。
更に、一番低い所に置く緑の光を発する緑の発光ダイオード３２３を制御し、凹型面の時刻パネル３１に向かって、光源を発射し、そのとき、図５に示すように、破線の矢印に表示した最短射出光ビーム５３１は時刻パネル３１にある数字「６」の前のところへ投射されて、緑のイメージ・エリア５３を生成し、その緑のイメージ・エリア５３は「時」に定義して、５時５０分１０秒の５時の部分を取得する。
【００１３】
以上のような構成であるから、図５に示すように、時刻はパネル３１の中心から距離が異なる三つのエリアが時刻パネルに光点して生成され、即ち、「時」である５時のイメージ・エリア５３は中心に近く、「分」である５０分のイメージ・エリア５２は中心から中間位置で、「秒」である１０秒のイメージ・エリア５１は中心から遠くパネル３１の外周に近く位置するようになり、これによって、時刻の時分秒を表示する。
即ち、前記図５の実施例の中、光源モジュール３２の中に赤い光を発する赤い発光ダイオード３２１が長い射出光ビーム５１１、青い光を発する青い発光ダイオード３２２が短い射出光ビーム５２１、及び緑の光を発する緑の発光ダイオード３２３が最短射出光ビーム５３１を発射し、この三光ビームによって、時分秒を区別する。この長い射出光ビーム５１１、短い射出光ビーム５２１および最短射出光ビーム５３１によって、三つの異なる明るく照射されたイメージ・エリア５１、５２、５３ができる。
【００１４】
図６は、本考案おける一実施例の時刻表示装置の投射光源と時刻パネルの関係分解図である。図６に示すように、時刻パネル３１は凹型面であり、また、時刻パネル３１の中心エリア３１１は凹底であるため、時刻パネル３１は漏斗型のように上が広くて、下が狭い型になる。このように上方が広くて、下方が狭い型によって、斜面３１２が作られ、赤い光を発する赤い発光ダイオード３２１が時刻パネル３１の中心エリア３１１の一番高い所に置き、また、凹型面の時刻パネル３１の斜面３１２上のところに対応するため、赤い光が時刻パネル３１の周辺（一番遠いところ）に発射される。これにより、三つの発光ダイオードモジュール３２の投射方向が互いに平行であると、図５に示したように、赤い光は長い射出光ビーム５１１の距離になり、さらに、斜面３１２上のところに投射している赤いイメージ・エリア５１になる。
また、青い光を発する青い発光ダイオード３２２が時刻パネル３１の中心エリア３１１の二番目に高い所へ配置されるので、凹型面の時刻パネル３１の斜面３１２の中間に対応するため、青い光が時刻パネル３１の周辺（二番目に遠いところ）に発射し、これにより、図５に示した短い射出光ビーム５２１の距離になり、さらに、斜面３１２の中間のところに投射している青いイメージ・エリア５２になる。
更に、緑の光を発する緑の発光ダイオード３２３が時刻パネル３１の中心エリア３１１の一番低い所に配置されるので、凹型面の時刻パネル３１の斜面３１２の一番下に対応するため、緑の光が時刻パネル３１の周辺（一番短いところ）に発射する。これにより、図５に示した最短射出光ビーム５３１での距離になり、さらに、斜面３１２の下のところに投射している緑のイメージ・エリア５３になる。
【００１５】
以上のように、本考案の実施例では、パネル中心から三つの異なる距離に明るいイメージ・エリアが取得し、時分秒を区別して、実際の時刻を表示する。このように、光源モジュールの光源を時刻パネルに投射して、投射した明るい光ビームのイメージ・エリア、即ち時刻パネル上のイメージにより時刻を表示するようにしたので、通常及び暗闇でも常に時刻を時刻パネルに表示することができ、長い秒針２５を駆動する必要がなく、小さな光源モジュールを回転させるだけなので駆動騒音を小さくすることができ、さらには、腕時計及び置時計、掛け時計などへの適用が可能である。
なお、本考案の特徴を損なうものでなければ、前記の実施例に限定されるものでないことは、勿論である。
【図面の簡単な説明】
【００１６】
【図１】公知の時計の主体部分の立体構造図である。
【図２】公知の蛍光時計の主体部分の立体構造図及び分解図である。
【図３】本考案における一実施例の時刻表示装置の側断面図である。
【図４】本考案における一実施例の時刻表示装置の正面下からの斜視図である。
【図５】本考案に基づいて一実施例の時刻表示装置のオペレーション図である。
【図６】本考案に基づいて一実施例の時刻表示装置の投射光源と時刻パネルの関係の側断面図である。
【符号の説明】
【００１７】
１１    時刻表示主体
１２    パネル
１３    指針
１４    時針
１５    分針
１６    秒針
２１    蛍光塗料
２２    蛍光の指針
２３    蛍光の時針
２４    蛍光の分針
２５    蛍光の秒針
３１    時刻パネル
３１１  中心エリア
３１２  斜面
３２    光源モジュール
３２１  赤色発光ダイオード
３２２  青色発光ダイオード
３２３  緑色発光ダイオード
３３    カウントユニット
３４    コントロールユニット
５１    赤いイメージ・エリア
５２    青いイメージ・エリア
５３    緑のイメージ・エリア
５１１  長い射出光ビーム
５２１  短い射出光ビーム
５３１  最短射出光ビーム
【図１】
0003123608.tif 000003
【図２】
0003123608.tif 000004
【図３】
0003123608.tif 000005
【図４】
0003123608.tif 000006
【図５】
0003123608.tif 000007
【図６】
0003123608.tif 000008